(57)【特許請求の範囲】
【請求項１】
複数の第一サービスおよび複数の第二サービスを含む複数のサービスから１つのサービスを選択させるための選局サービスの映像を映像表示装置に出力する映像処理部を備える映像受信装置であって、
前記選局サービスの映像には、前記複数の第一サービスの映像が縮小された複数の第一縮小映像を表示するための複数の第一表示領域と、前記複数の第二サービスの映像が縮小された複数の第二縮小映像を表示するための複数の第二表示領域と、前記複数の第一表示領域および前記複数の第二表示領域のうちの１つを指し示すカーソルとが含まれ、
前記映像処理部は、
前記カーソルが前記複数の第一表示領域のうちの一つを指し示す場合は、前記カーソルにより指し示される第一表示領域に、当該第一表示領域に対応する第一縮小映像を表示し、前記カーソルにより指し示される第一表示領域を除く他の第一表示領域および前記複数の第二表示領域の各々に、当該第一表示領域に対応する第一縮小映像とは異なる映像および当該第二表示領域に対応する第二縮小映像とは異なる映像を表示する第一選局サービスの映像を前記映像表示装置に出力し、
前記カーソルが前記複数の第二表示領域のうちの一つを指し示す場合は、前記複数の第二表示領域の各々に、当該第二表示領域に対応する第二縮小映像を表示し、前記複数の第一表示領域の各々に、当該第一表示領域に対応する第一縮小映像とは異なる映像を表示する第二選局サービスの映像を前記映像表示装置に出力する、
映像受信装置。
【請求項２】
前記映像処理部は、
前記カーソルが前記複数の第一表示領域のうちの一つを指し示す場合は、前記カーソルにより指し示される第一表示領域に、当該第一表示領域に対応する第一縮小映像を表示し、前記カーソルにより指し示される第一表示領域を除く他の第一表示領域および前記複数の第二表示領域の各々に、前記第一縮小映像または前記第二縮小映像の代わりとなるアイコン映像を表示する第一選局サービスの映像を前記映像表示装置に出力し、
前記カーソルが前記複数の第二表示領域のうちの一つを指し示す場合は、前記複数の第二表示領域の各々に、当該第二表示領域に対応する第二縮小映像を表示し、前記複数の第一表示領域の各々に前記アイコン映像を表示する第二選局サービスの映像を前記映像表示装置に出力する、
請求項１記載の映像受信装置。
【請求項３】
前記複数の第一サービスの各々は、当該サービスの縮小映像を、他の前記複数のサービスの縮小映像と同一画面に同時に表示する許可が得られていないサービスであり、
前記複数の第二サービスの各々は、前記許可が得られているサービスである、
請求項１に記載の映像受信装置。
【請求項４】
さらに、
前記複数の第一縮小映像および前記複数の第二縮小映像を含む縮小映像群を、外部装置から受信するサービス受信部を備える、
請求項１に記載の映像受信装置。
【請求項５】
前記映像処理部は、
前記複数の第一表示領域と前記複数の第二表示領域とを含むテンプレート映像を取得し、
前記テンプレート映像に対し、前記カーソルが示す第一表示領域に対応する第一縮小映像を合成し、前記カーソルが示す第一表示領域を除く他の第一表示領域および前記複数の第二表示領域の各々に前記アイコン映像を合成することにより、前記第一選局サービスの映像を生成し、
前記テンプレート映像に対し、前記複数の第二表示領域の各々に対応する第二縮小映像を合成し、前記複数の第一表示領域の各々に前記アイコン映像を合成することにより、前記第二選局サービスの映像を生成する、
請求項２に記載の映像受信装置。
【請求項６】
前記アイコン映像は、前記複数のサービスのうちの対応するサービスを示す図形、文字、あるいはその両方を用いた映像である、
請求項２に記載の映像受信装置。
【請求項７】
前記選局サービスは、前記複数のサービスの複数の音声を多重化した多重化音声を含み、
前記映像処理部は、前記複数のサービスのうち、前記カーソルが示すサービスの音声を前記多重化音声から抽出し、抽出した音声を前記映像表示装置に出力する、
請求項１に記載の映像受信装置。
【請求項８】
前記映像処理部は、さらに、
前記第一選局サービスの映像または前記第二選局サービスの映像が前記映像表示装置において表示されているときに、前記カーソルの移動要求を受け付けた場合、前記カーソルを移動させると供に、移動後の前記カーソルが示すサービスを特定し、前記映像表示装置に出力する音声を、移動前の前記カーソルが示すサービスの音声から、移動後の前記カーソルが示すサービスの音声に切り替える、
請求項７に記載の映像受信装置。
【請求項９】
前記映像処理部は、さらに、
前記複数のサービスごとに、当該サービスの縮小映像を、前記複数の第一表示領域および前記複数の第二表示領域を含む複数の表示領域のうちのどの表示領域に表示するかを示す仕様情報を取得し、
前記第一選局サービスの映像または前記第二選局サービスの映像が表示されているときに、前記仕様情報を用いて前記カーソルの位置に表示されているサービスを特定する、
請求項４に記載の映像受信装置。
【請求項１０】
前記映像処理部は、さらに、
前記複数のサービスのうち、視聴するための契約が必要な１以上の要契約サービスの各々について、契約されているか未契約かを示す契約情報を取得し、
前記第一選局サービスの映像および前記第二選局サービスの映像に対し、前記契約情報により未契約であると示される要契約サービスに対応する第一表示領域または第二表示領域に、未契約であることを示す映像を合成する、
請求項１に記載の映像受信装置。
【請求項１１】
前記映像処理部は、さらに、
前記選局サービスの録画を行う場合、前記未契約であることを示す映像が合成された前記第一選局サービスの映像および前記第二選局サービスの映像を録画する、
請求項１０に記載の映像受信装置。
【請求項１２】
前記映像処理部は、
前記カーソルが前記複数の第一表示領域のうちの一つを指し示し、且つ、前記カーソルが指し示す第一表示領域に対応するサービスと前記選局サービスの映像が表示される直前に表示されていたサービスであるラストサービスとが同じである場合、前記ラストサービスの縮小映像を含む第一選局サービスの映像を前記映像表示装置に出力する、
請求項１に記載の映像受信装置。
【請求項１３】
前記映像処理部は、
前記カーソルが前記複数の第一表示領域のうちの一つを指し示し、且つ、前記カーソルが指し示す第一表示領域に対応するサービスと前記選局サービスの映像が表示される直前に表示されていたサービスであるラストサービスとが異なる場合、前記ラストサービスの縮小映像を含まない第一選局サービスの映像を前記映像表示装置に出力する、
請求項１に記載の映像受信装置。
【請求項１４】
前記映像処理部は、
前記カーソルが前記複数の第二表示領域のうちの一つを指し示し、且つ、前記選局サービスの映像が表示される直前に表示されていたサービスであるラストサービスが第一サービスである場合、前記ラストサービスの縮小映像を含まない第二選局サービスの映像を前記映像表示装置に出力する、
請求項１に記載の映像受信装置。
【請求項１５】
前記映像処理部は、
前記カーソルが前記複数の第二表示領域のうちの一つを指し示し、且つ、前記選局サービスの映像が表示される直前に表示されていたサービスであるラストサービスが第二サービスである場合、前記ラストサービスの縮小映像を含む第二選局サービスの映像を前記映像表示装置に出力する、
請求項１に記載の映像受信装置。
【請求項１６】
複数の第一サービスおよび複数の第二サービスを含む複数のサービスから１つのサービスを選択させるための選局サービスを映像表示装置に出力する映像処理部により実行される映像受信方法であって、
前記選局サービスの映像には、前記複数の第一サービスの映像が縮小された複数の第一縮小映像を表示するための複数の第一表示領域と、前記複数の第二サービスの映像が縮小された複数の第二縮小映像を表示するための複数の第二表示領域と、前記複数の第一表示領域および前記複数の第二表示領域のうちの１つを指し示すカーソルとが含まれ、
前記カーソルが前記複数の第一表示領域のうちの一つを指し示す場合は、前記カーソルにより指し示される第一表示領域に、当該第一表示領域に対応する第一縮小映像を表示し、前記カーソルにより指し示される第一表示領域を除く他の第一表示領域および前記複数の第二表示領域の各々に、当該第一表示領域に対応する第一縮小映像とは異なる映像および当該第二表示領域に対応する第二縮小映像とは異なる映像を表示する第一選局サービスの映像を前記映像表示装置に出力するステップと、
前記カーソルが前記複数の第二表示領域のうちの一つを指し示す場合は、前記複数の第二表示領域の各々に、当該第二表示領域に対応する第二縮小映像を表示し、前記複数の第一表示領域の各々に、当該第一表示領域に対応する第一縮小映像とは異なる映像を表示する第二選局サービスの映像を前記映像表示装置に出力するステップとを含む、
映像受信方法。
【発明の詳細な説明】
【技術分野】
【０００１】
本開示は、複数のサービスから１つのサービスを選択させるための選局サービスを表示する映像受信装置および映像受信方法に関する。
【背景技術】
【０００２】
特許文献１は、ケーブルテレビ等、視聴可能な番組数（サービス数）が多い場合に、視聴可能な番組のアイコン映像（サムネイル画像）の一覧と、その詳細情報とを表示する番組表示制御装置を開示する。この番組表示制御装置では、ユーザの指定した分類条件に応じた番組一覧を表示する。また、番組一覧では、番組のサムネイル画像を表示する。
【先行技術文献】
【特許文献】
【０００３】
【特許文献１】特開２０１２−２０９８２９号公報
【発明の概要】
【発明が解決しようとする課題】
【０００４】
本開示は、視聴可能な複数のサービスがある場合に、ユーザのサービスの選択を支援することができる映像受信装置を提供する。
【課題を解決するための手段】
【０００５】
本開示における映像受信装置は、複数の第一サービスおよび複数の第二サービスを含む複数のサービスから１つのサービスを選択させるための選局サービスの映像を映像表示装置に出力する映像処理部を備える。選局サービスの映像には、複数の第一サービスの映像が縮小された複数の第一縮小映像を表示するための複数の第一表示領域と、複数の第二サービスの映像が縮小された複数の第二縮小映像を表示するための複数の第二表示領域と、複数の第一表示領域および複数の第二表示領域のうちの１つを指し示すカーソルとが含まれる。映像処理部は、カーソルが複数の第一表示領域のうちの一つを指し示す場合は、カーソルにより指し示される第一表示領域に、第一表示領域に対応する第一縮小映像を表示し、カーソルにより指し示される第一表示領域を除く他の第一表示領域および複数の第二表示領域の各々に、当該第一表示領域に対応する第一縮小映像とは異なる映像および当該第二表示領域に対応する第二縮小映像とは異なる映像を表示する第一選局サービスの映像を映像表示装置に出力する。映像処理部は、カーソルが複数の第二表示領域のうちの一つを指し示す場合は、複数の第二表示領域の各々に、第二表示領域に対応する第二縮小映像を表示し、複数の第一表示領域の各々に、当該第一表示領域に対応する第一縮小映像とは異なる映像を表示する第二選局サービスの映像を映像表示装置に出力する。
【発明の効果】
【０００６】
本開示における映像受信装置によれば、視聴可能な複数のサービスがある場合に、ユーザのサービスの選択を支援することができる。
【図面の簡単な説明】
【０００７】
【図１】図１は、実施の形態における映像受信装置と、放送局、ポータルサーバおよびＴＶとの関係を示す図である。
【図２Ａ】図２Ａは、実施の形態におけるＳＴＢの構成の一例を示すブロック図である。
【図２Ｂ】図２Ｂは、実施の形態における仕様情報の一例を示す図である。
【図３】図３は、実施の形態における放送局の構成の一例を示すブロック図である。
【図４Ａ】図４Ａは、実施の形態におけるポータルサーバの構成の一例を示すブロック図である。
【図４Ｂ】図４Ｂは、実施の形態にかかるマッピング情報の一例を示す図である。
【図５】図５は、実施の形態における選局サービスが表示されたＴＶの一例を示す図である。
【図６】図６は、実施の形態における選局サービスの表示にかかる手順を示すフローチャートである。
【図７】図７は、実施の形態におけるテンプレート映像の一例を示す図である。
【図８Ａ】図８Ａは、実施の形態における縮小映像群の一例を示す図である。
【図８Ｂ】図８Ｂは、実施の形態における縮小映像群に含まれる複数の縮小映像とその貼付領域との関係を示す図である。
【図９】図９は、実施の形態における選局サービスの映像および音声の取得方法の処理手順の一例を示すフローチャートである。
【図１０Ａ】図１０Ａは、実施の形態における第一選局サービスの映像の一例を示す図である。
【図１０Ｂ】図１０Ｂは、実施の形態における第一選局サービスの映像の他の一例を示す図である。
【図１０Ｃ】図１０Ｃは、実施の形態における第二選局サービスの映像の一例を示す図である。
【図１０Ｄ】図１０Ｄは、実施の形態における第二選局サービスの映像の他の一例を示す図である。
【図１１】図１１は、変形例１における１ページ目の選局サービスの映像の一例を示す図である。
【図１２Ａ】図１２Ａは、変形例１における２ページ目以降の選局サービスの映像の一例を示す図である。
【図１２Ｂ】図１２Ｂは、変形例１における２ページ目以降の選局サービスの映像の他の一例を示す図である。
【図１３】図１３は、変形例２における仕様変更後の第一選局サービスの映像の一例を示す図である。
【図１４】図１４は、変形例２における仕様変更後の仕様情報の一例を示す図である。
【図１５】図１５は、他の実施の形態における縮小映像群の一例を示す図である。
【発明を実施するための形態】
【０００８】
（課題の詳細）
視聴可能なサービスの数が多い場合、従来のＥＰＧ（Ｅｌｅｃｔｒｏｎｉｃ  Ｐｒｏｇｒａｍ  Ｇｕｉｄｅ、電子番組表）のように、文字によりサービス各々の内容を記載する方法では、ユーザが直感的かつ容易にサービスの内容を知ることができないという問題がある。
【０００９】
これに対し、複数のサービスの縮小された映像（以下、適宜「縮小映像」と称する）を１つの画面上で表示することが考えられる。動画の場合、ユーザは直感的にかつ一度に多数のサービスの内容を知ることが可能になる。
【００１０】
しかしながら、複数のサービスの縮小映像が同一画面に同時に表示される場合、複数のサービスの各々について、１または複数の広告主および映像の権利者に対し、当該広告主および映像の権利者のサービスの縮小映像と他のサービスの縮小映像とを同一画面に同時に表示する許可を得る必要がある。許可が得られないサービスについては、当該サービスの縮小映像を他のサービスの縮小映像と同一画面に同時に表示することができないという問題がある。
【００１１】
そこで、本開示は、他のサービスの縮小映像と同一画面に同時に表示する許可が得られていないサービスと得られているサービスとが混在する場合に、上記許可に応じた選局サービスを提供することができる映像受信装置および映像受信方法を提供する。
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者は、当業者が本開示を十分に理解するために添付図面および以下の説明を提供するのであって、これらによって請求の範囲に記載の主題を限定することを意図するものではない。
【００１４】
（実施の形態）
以下、実施の形態の映像受信装置および映像受信方法について、図１〜図１０Ｄを用いて説明する。
【００１５】
本実施の形態の映像受信装置および映像受信方法は、複数の第一サービスおよび複数の第二サービスを含む複数のサービスから１つのサービスを選択させるための選局サービスを提供する。第一サービスは、縮小映像を他のサービスの縮小映像と同一画面に同時に表示する許可が得られていないサービスであり、第二サービスは、当該許可が得られたサービスである。
【００１６】
本実施の形態の映像受信装置および映像受信方法では、選局サービスにおいて、カーソルにより示されるサービスが、第一サービスであるか第二サービスであるかに応じて、第一選局サービスおよび第二選局サービスの何れかを提供する。
【００１７】
カーソルにより示されるサービスが第一サービスである場合は、当該第一サービスの縮小映像（以下、「第一縮小映像」と略称する）が表示される間、他のサービスの縮小映像を表示しない第一選局サービスが提供される。カーソルにより示されるサービスが第二サービスである場合は、同一画面に同時に１または複数の第二サービスの縮小映像（以下、「第二縮小映像」と略称する）を表示する第二選局サービスが提供される。これにより、上記許可に応じた選局サービスの提供が可能になる。
【００１８】
［１．全体構成］
先ず、本実施の形態の映像受信装置、および、その周辺装置の構成について、図１〜図４Ａを基に説明する。本実施の形態では、映像受信装置が、有線放送の放送波を受信するＳＴＢ（Ｓｅｔ  Ｔｏｐ  Ｂｏｘ、セットトップボックス）である場合を例に説明する。
【００１９】
図１は、映像受信装置およびその周辺装置の接続構成の一例を示す図である。図１では、映像受信装置の一例であるＳＴＢ２０、周辺装置の一例である放送局１０、ポータルサーバ３０、リモコン５０およびＴＶ（テレビジョン）６０を示している。
【００２０】
なお、有線放送の放送波には、地上デジタル放送、および、ＣＳ（Ｃｏｍｍｕｎｉｃａｔｉｏｎ  Ｓａｔｅｌｌｉｔｅ）放送等が含まれる。
【００２１】
なお、以下に示す実施の形態では、特に記載しない場合、「映像」とは、動画のことを指し、静止画は含まない。また、「画像」とは、静止画のことを指す。
【００２２】
［１−１．ＳＴＢ２０（映像受信装置）の構成］
ＳＴＢ２０は、放送局１０から放送波を受け付け、ＳＴＢ２０用のリモコン５０の操作に応じて、ＴＶ６０に提供するサービスの映像と音声とを出力する。また、ＳＴＢ２０は、インターネットあるいはイントラネット等のネットワーク４０を介して、ポータルサーバ３０に接続されている。
【００２３】
図２Ａは、ＳＴＢ２０の構成の一例を示すブロック図である。ＳＴＢ２０は、図２Ａに示すように、制御部２１と、操作情報受信部２２と、放送波受信部２３と、通信部２４と、記憶部２５と、映像音声出力部２６とを備えている。
【００２４】
制御部２１は、ＳＴＢ２０を構成する各機能を制御する。制御部２１は、一般的には、ＣＰＵ（Ｃｅｎｔｒａｌ  Ｐｒｏｃｅｓｓｉｎｇ  Ｕｎｉｔ）または演算プロセッサ等で構成されており、ＣＰＵが記憶部２５に記憶された制御プログラムを実行することにより、ＳＴＢ２０を構成する各機能を制御する。
【００２５】
制御部２１は、リモコン５０の操作に応じて、第一サービスの映像および音声、第二サービスの映像および音声、または、選局サービスの映像をＴＶ６０に出力する。制御部２１は、リモコン５０の操作により、第一サービスまたは第二サービスが選択されている場合は、後述する放送波受信部２３が放送波から取り出したサービスの映像および音声をＴＶ６０に出力する。制御部２１は、リモコン５０の操作により、選局サービスが選択されている場合は、第一選局サービスの映像または第二選局サービスの映像を生成してＴＶ６０に出力する。
【００２６】
なお、制御部２１と後述する映像音声出力部２６とで、選局サービスの映像を映像表示装置に出力する映像処理部を構成している。選局サービスの映像には、後で詳述するが、複数の第一表示領域と、複数の第二表示領域と、複数の第一表示領域および複数の第二表示領域のうちの１つを指し示すカーソルとが含まれている。複数の第一表示領域の各々には、対応する第一サービスの映像が縮小された第一縮小映像が表示される。複数の第二表示領域の各々には、対応する第二サービスの映像が縮小された第二縮小映像が表示される。以下では、カーソルＣが指し示す第一表示領域または第二表示領域に対応する（表示されるべき）サービスを、単にカーソルＣが指し示すサービスと表記する場合がある。
【００２７】
操作情報受信部２２は、本実施の形態では、赤外線通信部を有し、後で説明するリモコン５０から赤外線通信により、押下されたキーを示す信号を受け付ける。操作情報受信部２２は、受信した信号により示されるキーの情報を制御部２１に出力する。
【００２８】
放送波受信部２３は、外部装置の一例である放送局１０から縮小映像群および多重化音声を受け付けるサービス受信部の一例である。放送波受信部２３は、放送波から、制御部２１により指示されたサービスの映像および音声をデコードする１つのチューナを備えている。１つのチューナが放送波から取り出せるのは、１つのサービスの映像と音声である。放送波受信部２３は、抽出した映像および音声を、制御部２１に出力する。
【００２９】
通信部２４は、ネットワーク４０を介して、ポータルサーバ３０との間でネットワーク通信を行う。
【００３０】
記憶部２５は、制御部２１の処理で用いられる一時的なデータを記憶するＲＡＭ（Ｒａｎｄｏｍ  Ａｃｃｅｓｓ  Ｍｅｍｏｒｙ）、制御プログラム等が格納されたＲＯＭ（Ｒｅａｄ  Ｏｎｌｙ  Ｍｅｍｏｒｙ）、および、サービスの録画に用いられるハードディスク等の記憶素子を備えて構成されている。記憶部２５には、ＳＴＢ２０を特定するための受信機ＩＤ２５ａ、選局サービスにおけるカーソルの位置情報２５ｂ、カーソルの映像であるカーソル映像２５ｃ、および、選局サービスの仕様を決定する仕様情報２５ｄが記憶されている。なお、本実施の形態では、記憶部２５がＳＴＢ２０に内蔵されている場合について説明するが、これに限るものではない。外部接続されたハードディスク等の記憶素子であっても構わないし、内蔵された記憶素子と外部接続された記憶素子とを組み合わせて用いても構わない。
【００３１】
カーソルの位置情報２５ｂは、本実施の形態では、選局サービスに含まれる複数の表示領域の一つを示す情報である。カーソルの位置情報２５ｂは、例えば、後述する図７の表示領域Ｒ００１、Ｒ１０１〜Ｒ１１１、Ｒ２０１〜Ｒ２１５で表わされる。カーソルは、基本的には、後述するリモコン５０の方向キーの１回の押下に対し、１つずつ表示領域を移動される。なお、カーソルの位置情報２５ｂは、座標、あるいは、基準点からの移動量等であっても構わない。カーソルの位置情報２５ｂは、選局サービスの映像の表示開始時に、複数の表示領域のうち、左上にある表示領域の位置に初期化される。その後、リモコン５０からカーソルの移動要求（方向キーが押されたことを示す信号）が送られてくる毎に、制御部２１は、カーソルの位置情報２５ｂを、リモコン５０から送信される移動要求に応じた位置に更新する。
【００３２】
カーソル映像２５ｃは、例えば、第一縮小映像または第二縮小映像を囲む枠状の図形である。後で詳述するが、本実施の形態では、第一縮小映像および第二縮小映像は長方形状の映像であるため、カーソル映像２５ｃも長方形状の枠である。カーソル映像２５ｃは、ビットマップ等の形式の画像として記憶されていてもよいし、上記長方形の場合、長辺の長さおよび短辺の長さ、線の色および太さ等で示されていても良い。
【００３３】
仕様情報２５ｄは、選局サービスの映像において、複数のサービスごとに、当該サービスの縮小映像を、複数の第一表示領域および複数の第二表示領域のうちのどの表示領域に表示するか、つまり、各サービスの縮小映像をどの位置に表示するかを示す情報である。
【００３４】
図２Ｂは、本実施の形態における仕様情報２５ｄの一例を示す図である。図２Ｂに示すように、仕様情報２５ｄには、各サービスに固有に割り当てられたサービスＩＤと、各サービスのチャンネル名と、各サービスの縮小映像を表示する表示領域の位置を示す位置情報（以下、適宜「表示領域の位置情報」と略称する）とが含まれる。表示領域の位置情報は、後述する図７に示す第一表示領域Ｒ１０１〜Ｒ１１１、第二表示領域Ｒ２０１〜Ｒ２１５の位置情報に対応している。位置情報は、基点（例えば、左上角の座標）および縦方向および横方向の長さ（画素数）、あるいは、対角上の２つの角部の座標（例えば、左上角の座標と右下角の座標）等であっても構わない。
【００３５】
映像音声出力部２６は、ＴＶ６０とのインターフェイス部であり、映像および音声をＴＶ６０に対して出力する。
【００３６】
［１−２．放送局の構成］
放送局１０は、複数の第一サービスと、複数の第二サービスと、選局サービスを生成するための縮小映像群および多重化音声からなるサービスとを伝送する放送波を生成し、ＳＴＢ２０に出力する。
【００３７】
図３は、本実施の形態における放送局１０の構成の一例を示すブロック図である。放送局１０は、図３に示すように、放送設備１１と、チューナ部１２と、縮小映像群生成部１３と、音声多重化部１４と、混合部１５とを備えている。
【００３８】
放送設備１１は、複数の第一サービスおよび複数の第二サービスを含む第一放送波を生成する設備である。なお、放送設備１１は、１つの設備で構成されている必要は無い。
【００３９】
チューナ部１２は、複数のチューナを備えている。複数のチューナの各々は、例えば、第一放送波から、対応するサービスの映像および音声をデコードする。なお、チューナ部１２に含まれる複数のチューナの数は、第一サービスおよび第二サービスの総数、あるいは、選局サービスの映像の生成に用いるサービスの数と同じである必要はない。
【００４０】
縮小映像群生成部１３は、チューナ部１２から出力される複数のサービスの映像を用いて、複数の縮小映像で構成される縮小映像群を生成する。縮小映像群の詳細については後述する。
【００４１】
音声多重化部１４は、チューナ部１２を構成する複数のチューナから出力される複数のサービスの音声を多重化して、多重化音声を生成する。
【００４２】
混合部１５は、縮小映像群生成部１３により生成された縮小映像群と音声多重化部１４により生成された多重化音声とを混合して１つのサービスを生成する。さらに、混合部１５は、生成したサービスを放送設備１１から送信される第一放送波に重畳することにより、放送波を生成する。混合部１５は、放送波をＳＴＢ２０に送信する。
【００４３】
［１−３．ポータルサーバ３０の構成］
ポータルサーバ３０は、選局サービスの提供に必要な情報を記憶し、ＳＴＢ２０からの情報取得要求に応じて、情報取得要求が示す情報をＳＴＢ２０に出力するサーバである。ポータルサーバは、一般的なネットワーク４０を介して、ＳＴＢ２０と通信可能に構成されている。
【００４４】
図４Ａは、本実施の形態におけるポータルサーバ３０の構成の一例を示すブロック図である。ポータルサーバ３０は、図４Ａに示すように、記憶部３１と、通信部３２とを備えている。
【００４５】
記憶部３１は、ＲＡＭ、ＲＯＭおよびハードディスク等で構成されており、本実施の形態では、マッピング情報３１ａ、契約情報３１ｂ、テンプレート映像３１ｃ、許可情報３１ｄ、アイコン映像群３１ｅおよびメニューアプリ３１ｆを記憶している。
【００４６】
マッピング情報３１ａは、複数のサービス別に、縮小映像群における当該サービスの縮小映像の位置（カーソルの位置に対応）を示す情報である。
【００４７】
図４Ｂは、本実施の形態にかかるマッピング情報３１ａの一例を示す図である。図４Ｂに示すように、マッピング情報３１ａには、サービスごとに、サービスの各々に固有に割り当てられたサービスＩＤと、チャンネル名と、縮小映像群内における当該サービスの縮小映像の位置を示す位置情報（以下、適宜「縮小映像の位置情報」と略称する）とが含まれる。縮小映像の位置情報は、後述する図８Ｂに示す縮小映像の貼付領域Ｌ１０１〜Ｌ１１１、Ｌ２０１〜Ｌ２１５の位置情報に対応している。位置情報は、例えば、基点（例えば、左上角の座標）および縦方向および横方向の長さ（画素数）、あるいは、対角上の２つの角部の座標（例えば、左上角の座標と右下角の座標）等であっても構わない。
【００４８】
さらに、マッピング情報３１ａには、当該チャンネルのネットワークＩＤおよびＴＳ（Ｔｒａｎｓｐｏｒｔ  Ｓｔｒｅａｍ、トランスポートストリーム）ＩＤ、サービスＩＤ等の選局情報、および、多重化音声から当該チャンネルに対応する音声を抽出するための音声情報が記憶されている。ネットワークＩＤは、地上デジタル放送、ＢＳ放送等のネットワーク種別を示しており、ＴＳＩＤおよびサービスＩＤは、サービス種別を示している。
【００４９】
契約情報３１ｂは、受信機ＩＤ２５ａ別（ユーザ別）に、複数のサービスの各々について、視聴するための契約が必要な要契約サービスであるか否か、要契約サービスの場合は、さらに、契約されているか未契約であるかを記憶している。
【００５０】
テンプレート映像３１ｃは、第一選局サービスおよび第二選局サービスの映像のデザインを示す映像である。テンプレート映像３１ｃの詳細については後述する。
【００５１】
許可情報３１ｄは、複数のサービスの各々について、他のサービスと同一画面に同時に縮小映像を表示する許可が得られていない第一サービスであるか、当該許可が得られている第二サービスであるかを記憶している。本実施の形態では、説明のため、地上デジタル放送が第一サービスであり、ＣＳ放送が第二サービスである場合を例に説明するが、これに限るものではない。
【００５２】
アイコン映像群３１ｅは、複数のアイコン映像を含む。複数のアイコン映像は、第一縮小映像あるいは第二縮小映像を隠すためのアイコン映像が含まれる。アイコン映像は、例えば、各サービスのチャンネルを示す映像、あるいは、要契約サービスにおける未契約を示す映像が含まれている。アイコン映像は、図形または文字を含む映像であり、静止画であっても構わない。アイコン映像は、対応するサービスの縮小映像とは異なる映像である。アイコン映像は、例えば、対応するサービスの情報（サービス名、サービスあるいはサービスを提供する放送事業者のロゴ、放送事業者のキャラクター、チャンネル番号等）を示す文字または図形等であっても構わない。
【００５３】
メニューアプリ３１ｆは、録画一覧、予約一覧、ＥＰＧおよびホームページ等を表示するためのアプリケーションデータである。メニューアプリ３１ｆには、ゲーム等の他のアプリケーションデータが含まれていても構わない。
【００５４】
通信部３２は、ネットワーク４０を介して、ＳＴＢ２０の通信部２４との間で通信を行う。
【００５５】
［１−４．リモコンの構成］
リモコン５０は、ＳＴＢ２０を操作する機器である。リモコン５０の筐体表面には、本実施の形態では、選局サービスが割り当てられた選局キー、第一サービスまたは第二サービスが割り当てられたｃｈキー、上下左右の方向キー、確定キー、電源キー、録画キー等、複数のキーを備えて構成されている。リモコン５０には、筐体内部に、押下されたキーを検出するキー入力検出回路、および、検出されたキーを示す信号を赤外線通信により出力する赤外線通信部（図示せず）が設けられている。
【００５６】
［１−５．ＴＶの構成］
ＴＶ６０は、映像表示装置の一例であり、例えば、液晶テレビあるいは有機ＥＬテレビ等である。ＴＶ６０は、映像を表示する表示画面と音声を出力するスピーカ等の音声出力機器とを備えている。
【００５７】
ＴＶ６０は、ＳＴＢ２０からデコードされた映像信号および音声信号を受け付け、映像の表示および音声の出力を行う。
【００５８】
［２．動作］
ＳＴＢ２０の動作について、図５〜図１０Ｄを基に説明する。ＳＴＢ２０は、選局モード、通常モード、録画モードおよびアプリモードを含む複数の動作モードで動作する。なお、録画モードにおける動作と他の動作モードにおける動作とは同時に実行可能である。
【００５９】
ＳＴＢ２０は、選局モードでは、第一サービスおよび第二サービスから１以上のサービスを選択させるための選局サービスをＴＶ６０に表示させる。
【００６０】
ＳＴＢ２０は、通常モードでは、第一サービスまたは第二サービスを受信して表示する。ＳＴＢ２０は、録画モードでは、選局サービス、第一サービスおよび第二サービスを含む複数のサービスから選択された１または複数のサービスを録画する。
【００６１】
ＳＴＢ２０は、アプリモードでは、選択されたアプリケーションデータをポータルサーバ３０から取得して実行する。
【００６２】
［２−１．選局モード］
図５は、本実施の形態における選局サービスが表示されたＴＶ６０の一例を示す図である。図６は、本実施の形態における選局サービスの表示にかかる手順を示すフローチャートである。
【００６３】
［２−１−１．選局サービスの映像の生成に必要なデータの取得］
ＳＴＢ２０は、ＳＴＢ２０の電源がＯＮの状態において、選局キーが押下されると、選局モードに移行する。このとき、制御部２１は、選局サービスの映像が表示（ＴＶ６０に出力）される直前に表示されていたサービス（以下、適宜「ラストサービス」または「ラストｃｈ」と称する）の情報を記憶部２５に記憶する。ラストｃｈの情報は、例えば、チャンネル番号である。
【００６４】
ＳＴＢ２０は、選局モードに移行すると、通信部２４を介してポータルサーバ３０からテンプレート映像３１ｃ、マッピング情報３１ａ、契約情報３１ｂ、許可情報３１ｄおよびアイコン映像群３１ｅを取得する（Ｓ１０１）。
【００６５】
図７は、本実施の形態におけるテンプレート映像３１ｃの一例を示す図である。図７に示すように、テンプレート映像３１ｃには、領域Ｒ０〜Ｒ３が含まれている（図７の太線で囲まれた領域）。
【００６６】
領域Ｒ０には、ラストｃｈの縮小映像が表示される１つの表示領域Ｒ００１が含まれている。
【００６７】
領域Ｒ１には、同じ形状および大きさの第一表示領域Ｒ１０１〜Ｒ１１１が含まれている。第一表示領域Ｒ１０１〜Ｒ１１１の各々は、本実施の形態では、地上デジタル放送およびＢＳデジタル放送の縮小映像が表示される領域である。
【００６８】
領域Ｒ２には、同じ形状および大きさの第二表示領域Ｒ２０１〜Ｒ２１５が含まれている。第二表示領域Ｒ２０１〜Ｒ２１５の各々は、本実施の形態では、ＣＳ放送の縮小映像が表示される領域である。なお、本実施の形態では、第二表示領域Ｒ２０１〜Ｒ２１５の形状および大きさは、第一表示領域Ｒ１０１〜Ｒ１１１の形状および大きさと同じである。
【００６９】
なお、本実施の形態では、説明のため、地上デジタル放送およびＢＳ放送が第一サービス（当該サービスの縮小映像を他の縮小映像と同一画面上に同時に表示する許可が得られていないサービス）であり、ＣＳ放送が第二サービス（許可が得られたサービス）である場合を例に説明するが、これに限られるものではない。
【００７０】
領域Ｒ３には、第三表示領域Ｒ３０１〜Ｒ３０９が含まれている。本実施の形態では、第三表示領域Ｒ３０１〜３０５は、予め設定されたメニューアプリを示すアイコン映像１３１〜１３５が表示される領域である。第三表示領域Ｒ３０６〜３０８は、ユーザが登録したメニューアプリを示すアイコン映像１３６〜１３８が表示される領域である。第三表示領域Ｒ３０９は、ＳＴＢ２０の提供企業を示すアイコン映像１３９が表示される領域である。
【００７１】
なお、本実施の形態では、テンプレート映像３１ｃは、領域Ｒ３については予めアイコン映像が合成された状態となっている場合を例に説明するが、これに限るものではない。ＳＴＢ２０は、領域Ｒ３にアイコン映像が合成されていない状態のテンプレート映像３１ｃと、アイコン映像１３１〜１３９とを取得し、後述するステップＳ１０４の選局サービスの映像の生成時に、ＳＴＢ２０がこれらのアイコン映像を合成するように構成しても構わない。
【００７２】
より詳細には、第三表示領域Ｒ３０１には、「テレビを見る」、つまり、選局サービスの映像が表示される直前のサービスに戻るためのアイコン映像１３１が嵌め込まれている。第三表示領域Ｒ３０２には、録画一覧を表示させるためのアイコン映像１３２が嵌め込まれている。第三表示領域Ｒ３０３には、予約一覧を表示させるためのアイコン映像１３３が嵌め込まれている。第三表示領域Ｒ３０４には、番組表を表示させるためのアイコン映像１３４が嵌め込まれている。番組表は、例えば、ＥＰＧであり、選局サービスとは別のサービスである。第三表示領域Ｒ３０５には、ホームページ（ＳＴＢ２０を提供する会社のホームページ）を表示させるためのアイコン映像１３５が嵌め込まれている。
【００７３】
第三表示領域Ｒ３０１〜３０９に表示されるアイコン映像１３１〜１３９の構成、つまり、所謂メニューアプリの数および種類等はこれに限られるものではない。
【００７４】
また、領域Ｒ１〜Ｒ３の構成はこれに限られるものではない。各領域の大きさおよび形状、表示領域の数等は、任意に決定可能である。なお、以下の説明では、表示領域の位置を示すために、図７に示す表示領域Ｒ００１、Ｒ１０１〜Ｒ１１１、Ｒ２０１〜Ｒ２１５、Ｒ３０１〜Ｒ３０９を使用する場合がある。
【００７５】
ＳＴＢ２０は、放送波受信部２３のチューナを用いて、放送局１０から送信された放送波から、選局サービスを生成するためのデータ（縮小映像群および多重化音声）で構成されるサービスを取得する（Ｓ１０２）。
【００７６】
図８Ａは、本実施の形態における縮小映像群ＳＤＶの一例を示す図である。図８Ｂは、本実施の形態における縮小映像群ＳＤＶに含まれる複数の縮小映像とその貼付領域との関係を示す図である。
【００７７】
図８Ａに示す縮小映像群ＳＤＶには、複数の第一縮小映像と、複数の第二縮小映像とが含まれる。図８Ａでは、説明のため、各縮小映像の位置を、選局サービスの位置に対応させているが、必ずしも対応させる必要はない。
【００７８】
図８Ａに示す縮小映像群ＳＤＶでは、第一縮小映像群１１０に含まれる第一縮小映像１１１〜１１８が、図８Ｂに示す貼付領域Ｌ１０１〜Ｌ１０８に貼付けられている。また、図８Ａに示す縮小映像群ＳＤＶでは、第二縮小映像群１２０に含まれる複数の第二縮小映像が、図８Ｂに示す貼付領域Ｌ２０１〜Ｌ２１５に貼付けられている。
【００７９】
第二縮小映像１２１は、ここでは、視聴するための契約が必要な要契約サービスのうち、未契約のサービスの縮小映像である。後で詳述するが、当該縮小映像には、後述する選局サービスの映像の生成において、当該縮小映像が表示されないように未契約であることを示すアイコン映像が上から合成されることになる。第二縮小映像１２２は、ここでは、要契約サービスのうち、契約済みのサービスの縮小映像である。第二縮小映像１２３は、視聴するための契約を必要としないサービスの縮小映像である。
【００８０】
図８Ａでは、地上デジタル放送のサービスの数が第一表示領域Ｒ１０１〜Ｒ１１１の数よりも少ない場合を示していることから、貼付領域Ｌ１０９〜Ｌ１１１には縮小映像が貼付けられていない。
【００８１】
また、縮小映像群ＳＤＶは、図８Ａに示すような一つの映像ではなく、第一縮小映像群１１０および第二縮小映像群１２０がサービスと対応付けられた状態で個別に記憶されていても構わない。また、図８Ａでは、ＣＳ放送の数が第二表示領域Ｒ２０１〜Ｒ２１５の数以上であり、全ての第二表示領域Ｒ２０１〜Ｒ２１５に縮小映像が表示される場合を示しているが、一部に縮小映像が表示されない領域があっても構わない。
【００８２】
ＳＴＢ２０は、ラストｃｈの縮小映像と音声とを取得する（Ｓ１０３）。ＳＴＢ２０は、ラストｃｈの縮小映像を縮小映像群から取得し、音声を多重化音声から取得しても構わない。縮小映像群からラストｃｈの縮小映像を取得する場合、制御部２１は、ステップＳ１０１においてポータルサーバ３０から取得したマッピング情報３１ａと、記憶部２５に記憶されたラストｃｈの情報とから、縮小映像群におけるラストｃｈの縮小映像の位置を特定する。制御部２１は、縮小映像群におけるラストｃｈの縮小映像をコピーすることにより、ラストｃｈの縮小映像を取得する。
【００８３】
なお、ラストｃｈの縮小映像および音声の取得方法はこれに限られるものではない。例えば、ＳＴＢ２０は、放送波受信部２３が２以上のチューナを備える場合は、放送波から選局サービスを生成するためのデータで構成されるサービスを取得するチューナとは別のチューナを用いて、放送波からラストｃｈの映像と音声とを取得しても構わない。ＳＴＢ２０は、取得したラストｃｈの映像を縮小処理することにより、ラストｃｈの縮小映像と音声とを取得することができる。
【００８４】
［２−１−２．選局サービスの映像の生成］
ＳＴＢ２０は、選局サービスの映像を生成し、生成した選局サービスの映像と、多重化音声から取得した選局サービスの音声とをＴＶ６０に出力する（Ｓ１０４）。
【００８５】
図９は、本実施の形態における選局サービスの映像および音声の取得方法の処理手順の一例を示すフローチャートである。
【００８６】
ＳＴＢ２０の制御部２１は、カーソルＣが指し示すサービスが第一サービスであるか第二サービスであるかを確認する（Ｓ１１１）。言い換えると、制御部２１は、カーソルＣが指し示す表示領域が第一表示領域であるか第二表示領域であるかを確認する。第一サービスは、上述したように、縮小映像を他の縮小映像と同一画面上に同時に表示する許可が得られていないサービスである。第二サービスは、当該許可が得られているサービスである。
【００８７】
ＳＴＢ２０は、カーソルＣが指し示すサービスが第一サービスである場合は、第一選局サービスの映像を表示する。第一選局サービスの映像では、当該第一サービスについては対応する第一縮小映像が表示され、他のサービスについては他のサービスを示すアイコン映像が表示される。
【００８８】
ＳＴＢ２０は、カーソルＣが指し示すサービスが第二サービスである場合は、第二選局サービスの映像を表示する。第二選局サービスの映像では、第二サービスについては対応する第二縮小映像が表示され、第一サービスについてはアイコン映像が表示される。
【００８９】
これにより、上述した許可の有無に応じた選局サービスの提供が可能になる。
【００９０】
制御部２１は、記憶部に記憶されたカーソルの位置情報２５ｂと、図２Ｂに示す仕様情報２５ｄとを用いて、カーソルＣが指し示すサービスを特定する。例えば、カーソルの位置がラストｃｈの表示領域Ｒ００１の位置である場合、記憶部２５に記憶したラストｃｈの情報から、サービスを特定する。制御部２１は、カーソルＣの位置がラストｃｈ以外の位置である場合は、記憶部２５に記憶されたカーソルの位置情報２５ｂ（Ｒ１０１〜Ｒ１１１、Ｒ２０１〜Ｒ２１５）と、図２Ｂに示す仕様情報２５ｄとから、サービスを特定する。例えば、カーソルの位置情報２５ｂがＲ１０８の場合、図２Ｂより、カーソルＣが指し示すサービスは、ＢＳｃｈ３であると特定できる。例えば、カーソルの位置情報２５ｂがＲ２１１の場合、図２Ｂに示す仕様情報２５ｄより、カーソルＣが指し示すサービスは、ＣＳｃｈ１１であると特定できる。
【００９１】
制御部２１は、ステップＳ１０１においてポータルサーバ３０から取得した許可情報３１ｄを用いて、特定したサービスが第一サービスであるか第二サービスであるかを確認する。
【００９２】
制御部２１は、カーソルＣが指し示すサービスが第一サービスである、すなわちカーソルＣが複数の第一表示領域のうちの一つを指し示す場合（Ｓ１１１の「第一サービス」）、カーソルＣが指し示すサービスとラストｃｈとが同じであるか否かを確認する（Ｓ１１２）。カーソルＣが指し示すサービスは、ステップＳ１１１において既に特定されている。ラストｃｈについては、選局サービスの表示開始時に記憶部２５に記憶されている。制御部２１は、これらの情報を比較して、カーソルＣが指し示す第一サービスとラストｃｈとが同じであるか否かを確認する。
【００９３】
カーソルＣが指し示す第一サービスとラストｃｈとが同じである場合（Ｓ１１２の「第一サービス＝ラストｃｈ」）、制御部２１は、ラストｃｈの縮小映像と、カーソルＣが指し示す第一サービスの縮小映像とが表示される第一選局サービスの映像を生成する（Ｓ１１３）。当該第一選局サービスの映像では、他のサービスの縮小映像は表示されない。すなわち、当該第一選局サービスの映像では、カーソルＣにより指し示される第一表示領域を除く他の第一表示領域および複数の第二表示領域の各々に、当該第一表示領域に対応する第一縮小映像とは異なる映像および当該第二表示領域に対応する第二縮小映像とは異なる映像が表示される。また、ラストｃｈに対応する縮小映像が第一選局サービスの映像に含まれる。
【００９４】
図１０Ａは、本実施の形態における第一選局サービス１００の映像の一例を示す図である。第一選局サービスの映像では、カーソルＣにより指し示される第一表示領域に、当該第一表示領域に対応する第一サービスの第一縮小映像が表示され、他の縮小映像は表示されない。図１０Ａでは、カーソルＣが指し示す第一サービスの縮小映像に加え、ラストｃｈの縮小映像も表示されている。
【００９５】
図１０Ａでは、カーソルＣが指し示す第一サービスはＢＳｃｈ３である。また、ユーザが最後に視聴したサービスはＢＳｃｈ３である。図１０Ａでは、カーソルＣが指し示す第一サービスとラストｃｈが同じであるため、ラストｃｈの縮小映像１０１とＢＳｃｈ３の縮小映像１１８とが表示されている。また、領域Ｒ１およびＲ２のＢＳｃｈ３以外の表示領域には、対応する縮小映像とは異なる映像として、対応するサービスを示すアイコン映像が表示されている。
【００９６】
制御部２１は、テンプレート映像３１ｃと縮小映像群とを合成して、合成映像を生成する。制御部２１は、放送波から取得した縮小映像群における各縮小映像の配置と、仕様情報２５ｄにおける縮小映像群の配置とが一致しない場合には、マッピング情報３１ａと仕様情報２５ｄとを用いて図８Ａに示す縮小映像群に含まれる縮小映像を仕様情報２５ｄに示される位置に並び替える。制御部２１は、並び替え後の縮小映像群とテンプレート映像とを合成して合成映像を生成する。なお、過去の処理において、当該合成映像が既に作成されている場合は、既に作成されている合成映像を利用しても構わない。
【００９７】
制御部２１は、合成映像に対し、縮小映像を表示させない表示領域に対して、アイコン映像を合成する所謂マスク処理を行う。制御部２１は、第一表示領域Ｒ１０８を除く領域Ｒ１およびＲ２に含まれる複数の表示領域の各々について、ステップＳ１０１においてポータルサーバ３０から取得したアイコン映像群３１ｅから対応するアイコン映像を取得する。制御部２１は、第一表示領域Ｒ１０８を除く領域Ｒ１およびＲ２に含まれる複数の表示領域の各々について、対応するアイコン映像を合成する。
【００９８】
また、制御部２１は、ステップＳ１０１においてポータルサーバ３０から取得した契約情報３１ｂにおいて、未契約であると記憶されているサービスについては、対応する表示領域に未契約であることを示すアイコン映像を合成する。図１０Ａでは、未契約の要契約サービスに対応する第二表示領域Ｒ２０１には、未契約であることを示すアイコン映像１２４が合成される。これにより、図８Ａに示す第二縮小映像１２１はアイコン映像１２４により隠されることになる。同様に、未契約の要契約サービスに対応する第二表示領域Ｒ２０１についても、第二縮小映像の上から未契約であることを示すアイコン映像が合成される。契約済みの要契約サービスに対応する第二表示領域Ｒ２０６には、アイコン映像は合成されず、結果的に、当該サービスを示す第二縮小映像１２２が表示される。
【００９９】
まとめると、図１０Ａに示す第一選局サービス１００の映像では、表示領域Ｒ００１には、ラストｃｈの縮小映像が表示されている。第一表示領域Ｒ１０１〜Ｒ１０７には、Ｄｃｈ１〜Ｄｃｈ５、ＢＳｃｈ１、ＢＳｃｈ２に対応するアイコン映像が表示されている。第一表示領域Ｒ１０８には、ＢＳｃｈ３の映像が表示されている。第一表示領域Ｒ１０９〜Ｒ１１１には、対応するサービスが無いことを示す映像、または、空白（白色の映像）が表示されている。第二表示領域Ｒ２０２〜Ｒ２１３、Ｒ２１５には、ＣＳｃｈ２〜ＣＳｃｈ１３、ＣＳｃｈ１５に対応するアイコン映像が表示されている。第二表示領域Ｒ２０１およびＲ２１４には、未契約であることを示すアイコン映像が表示されている。
【０１００】
カーソルＣが指し示す第一サービスとラストｃｈとが同じではない場合（Ｓ１１２の「第一サービス≠ラストｃｈ」）、制御部２１は、カーソルＣが指し示す第一サービスの縮小映像が表示される第一選局サービスの映像を生成する（Ｓ１１４）。当該第一選局サービスの映像では、ラストｃｈを含む他のサービスの縮小映像は表示されない。すなわち、当該第一選局サービスの映像では、カーソルＣにより指し示される第一表示領域を除く他の第一表示領域および複数の第二表示領域の各々に、当該第一表示領域に対応する第一縮小映像とは異なる映像および当該第二表示領域に対応する第二縮小映像とは異なる映像が表示される。また、ラストｃｈに対応する縮小映像は第一選局サービスの映像に含まれない。
【０１０１】
図１０Ｂは、本実施の形態における第一選局サービス１００の映像の他の一例を示す図である。第一選局サービスの映像では、カーソルＣにより指し示される第一表示領域に、当該第一表示領域に対応する第一サービスの第一縮小映像が表示され、他の縮小映像は表示されない。図１０Ｂでは、図１０Ａとは異なり、ラストｃｈの縮小映像は表示されない。
【０１０２】
図１０Ｂでは、カーソルＣが指し示す第一サービスはＢＳｃｈ３である。また、ユーザが最後に視聴したサービスは、ＢＳｃｈ３以外のサービス、例えば、ＢＳｃｈ１である。図１０Ｂでは、カーソルＣが指し示す第一サービスとラストｃｈが異なるため、ＢＳｃｈ３の縮小映像１１８が表示され、ラストｃｈの縮小映像は表示されない。また、領域Ｒ１およびＲ２のＢＳｃｈ３以外の表示領域には、対応する縮小映像とは異なる映像として、対応するサービスを示すアイコン映像が表示されている。
【０１０３】
制御部２１は、図１０Ａの場合と同様に、テンプレート映像３１ｃと縮小映像群とを合成して、合成映像を生成する。制御部２１は、放送波から取得した縮小映像群における各縮小映像の配置と、仕様情報２５ｄにおける縮小映像群の配置とが一致しない場合には、縮小映像群に含まれる複数の縮小映像の並び替えを行った後に、テンプレート映像３１ｃと並び替え後の縮小映像群とを合成して合成映像を生成する。
【０１０４】
制御部２１は、合成映像に対し、第一表示領域Ｒ１０８を除く領域Ｒ１および領域Ｒ２に含まれる複数の表示領域の各々に、対応する縮小映像とは異なる映像として、対応するアイコン映像を合成する。制御部２１は、領域Ｒ０に含まれる表示領域Ｒ００１には、ラストｃｈの縮小映像の表示領域であることを示すアイコン映像を合成する。また、制御部２１は、ステップＳ１０１においてポータルサーバ３０から取得した契約情報３１ｂにおいて、未契約であると記憶されているサービスについては、対応する表示領域に未契約であることを示すアイコン映像を合成する。
【０１０５】
まとめると、図１０Ｂに示す第一選局サービス１００の映像では、表示領域Ｒ００１には、ラストｃｈの表示領域であることを示すアイコン映像が表示されている。第一表示領域Ｒ１０１〜Ｒ１０７には、Ｄｃｈ１〜Ｄｃｈ５、ＢＳｃｈ１、ＢＳｃｈ２に対応するアイコン映像が表示されている。第一表示領域Ｒ１０８には、ＢＳｃｈ３の映像が表示されている。第一表示領域Ｒ１０９〜Ｒ１１１には、対応するサービスが無いことを示す映像、または、空白（白色の映像）が表示されている。第二表示領域Ｒ２０２〜Ｒ２１３、Ｒ２１５には、ＣＳｃｈ２〜ＣＳｃｈ１３、ＣＳｃｈ１５に対応するアイコン映像が表示されている。第二表示領域Ｒ２０１およびＲ２１４には、未契約であることを示すアイコン映像が表示されている。
【０１０６】
制御部２１は、カーソルＣが指し示すサービスが第二サービスである、すなわちカーソルＣが複数の第二表示領域のうちの一つを指し示す場合（Ｓ１１１の「第二サービス」）、ラストｃｈが第一サービスであるか第二サービスであるかを確認する（Ｓ１１５）。制御部２１は、記憶部２５に記憶したラストｃｈの情報からサービスを特定し、ステップＳ１０１においてポータルサーバ３０から取得した許可情報３１ｄを用いて、ラストｃｈが第一サービスであるか第二サービスであるかを確認する。
【０１０７】
ラストｃｈが第一サービスである場合（Ｓ１１５の「第一サービス」）、制御部２１は、複数の第二サービスの縮小映像が表示される第二選局サービスの映像を生成する（Ｓ１１６）。当該第二選局サービスの映像では、ラストｃｈの縮小映像と第一サービスの縮小映像とは表示されない。すなわち、当該第二選局サービスの映像では、複数の第二表示領域の各々に、当該第二表示領域に対応する第二縮小映像が表示され、複数の第一表示領域の各々に、当該第一表示領域に対応する第一縮小映像とは異なる映像が表示される。また、ラストｃｈに対応する縮小映像は第二選局サービスの映像に含まれない。
【０１０８】
図１０Ｃは、本実施の形態における第二選局サービス２００の映像の一例を示す図である。第二選局サービスの映像では、複数の第二縮小映像が表示され、複数の第一縮小映像は表示されない。図１０Ｃでは、ラストｃｈの縮小映像は表示されない。
【０１０９】
図１０Ｃでは、カーソルＣが指し示す第二サービスは、ＣＳｃｈ１１である。また、ユーザが最後に視聴したサービスは、第一サービスである。図１０Ｃでは、ラストｃｈが第一サービスであるため、ラストｃｈの縮小映像は表示されない。図１０Ｃでは、第二縮小映像１２２および第二縮小映像１２３を含む第二縮小映像群１２０が表示されている。
【０１１０】
制御部２１は、図１０Ａの場合と同様に、テンプレート映像３１ｃと縮小映像群とを合成して、合成映像を生成する。制御部２１は、放送波から取得した縮小映像群における各縮小映像の配置と、仕様情報２５ｄにおける縮小映像群の配置とが一致しない場合には、縮小映像群に含まれる複数の縮小映像の並び替えを行った後に、テンプレート映像３１ｃと並び替え後の縮小映像群とを合成して合成映像を生成する。
【０１１１】
制御部２１は、合成映像に対し、領域Ｒ１に含まれる第一表示領域Ｒ１０１〜Ｒ１０８の各々に、対応する縮小映像とは異なる映像として、Ｄｃｈ１〜Ｄｃｈ５、ＢＳｃｈ１〜ＢＳｃｈ３を示すアイコン映像を合成する。制御部２１は、表示領域Ｒ００１には、ラストｃｈの縮小映像の表示領域であることを示すアイコン映像を合成する。また、制御部２１は、ステップＳ１０１においてポータルサーバ３０から取得した契約情報３１ｂにおいて、未契約であると記憶されているサービスについては、対応する表示領域に未契約であることを示すアイコン映像を合成する。
【０１１２】
まとめると、図１０Ｃに示す第二選局サービス２００の映像では、表示領域Ｒ００１には、ラストｃｈの表示領域であることを示すアイコン映像が表示されている。第一表示領域Ｒ１０１〜Ｒ１０８には、Ｄｃｈ１〜Ｄｃｈ５、ＢＳｃｈ１〜ＢＳｃｈ３のアイコン映像が表示されている。第一表示領域Ｒ１０９〜Ｒ１１１には、対応するサービスが無いことを示す映像、または、空白（白色の映像）が表示されている。第二表示領域Ｒ２０２〜Ｒ２１３、Ｒ２１５には、ＣＳｃｈ２〜ＣＳｃｈ１３、ＣＳｃｈ１５の映像が表示されている。第二表示領域Ｒ２０１およびＲ２１４には、未契約であることを示すアイコン映像が表示されている。
【０１１３】
ラストｃｈが第二サービスである場合（Ｓ１１５の「第二サービス」）、制御部２１は、ラストｃｈの縮小映像と複数の第二サービスの縮小映像とが表示される第二選局サービスの映像を生成する（Ｓ１１７）。当該第二選局サービスの映像では、第一サービスの縮小映像は表示されない。すなわち、当該第二選局サービスの映像では、複数の第二表示領域の各々に、当該第二表示領域に対応する第二縮小映像が表示され、複数の第一表示領域の各々に、当該第一表示領域に対応する第一縮小映像とは異なる映像が表示される。また、ラストｃｈに対応する縮小映像は第二選局サービスの映像に含まれる。
【０１１４】
図１０Ｄは、本実施の形態における第二選局サービス２００の映像の他の一例を示す図である。第二選局サービスの映像では、複数の第二縮小映像が表示され、複数の第一縮小映像は表示されない。図１０Ｄでは、図１０Ｃとは異なり、ラストｃｈの縮小映像も表示される。
【０１１５】
図１０Ｄでは、カーソルＣが指し示す第二サービスは、ＣＳｃｈ７である。また、ユーザが最後に視聴したサービスは第二サービスである。図１０Ｄでは、カーソルＣが指し示すサービスとラストｃｈが共に第二サービスであるため、第二縮小映像１２２および第二縮小映像１２３を含む第二縮小映像群１２０と、ラストｃｈの縮小映像１０１とが表示されている。
【０１１６】
制御部２１は、図１０Ａの場合と同様に、テンプレート映像３１ｃと縮小映像群とを合成して、合成映像を生成する。制御部２１は、放送波から取得した縮小映像群における各縮小映像の配置と、仕様情報２５ｄにおける縮小映像群の配置とが一致しない場合には、縮小映像群に含まれる複数の縮小映像の並び替えを行った後に、テンプレート映像３１ｃと並び替え後の縮小映像群とを合成して合成映像を生成する。
【０１１７】
制御部２１は、合成映像に対し、領域Ｒ１の第一表示領域Ｒ１０１〜Ｒ１０８の各々に、対応する縮小映像とは異なる映像として、Ｄｃｈ１〜Ｄｃｈ５、ＢＳｃｈ１〜ＢＳｃｈ３のアイコン映像を合成する。また、制御部２１は、ステップＳ１０１においてポータルサーバ３０から取得した契約情報３１ｂにおいて、未契約であると記憶されているサービスについては、対応する表示領域に未契約であることを示すアイコン映像を合成する。
【０１１８】
まとめると、図１０Ｄに示す第二選局サービス２００の映像では、表示領域Ｒ００１には、ラストｃｈの縮小映像が表示されている。第一表示領域Ｒ１０１〜Ｒ１０８には、Ｄｃｈ１〜Ｄｃｈ５、ＢＳｃｈ１〜ＢＳｃｈ３に対応するアイコン映像が表示されている。第一表示領域Ｒ１０９〜Ｒ１１１には、対応するサービスが無いことを示す映像、または、空白（白色の映像）が表示されている。第二表示領域Ｒ２０２〜Ｒ２１３、Ｒ２１５には、ＣＳｃｈ２〜ＣＳｃｈ１３、ＣＳｃｈ１５の映像が表示されている。第二表示領域Ｒ２０１およびＲ２１４には、未契約であることを示すアイコン映像が表示されている。
【０１１９】
制御部２１は、ステップＳ１１３〜Ｓ１１７の何れかを実行した後に、生成した映像にカーソルＣの映像を合成する（Ｓ１１８）。制御部２１は、本実施の形態では、記憶部２５に記憶されたカーソル映像２５ｃを、ステップＳ１１３〜Ｓ１１７のいずれかにおいて生成した映像に合成する。カーソル映像２５ｃは、カーソルの位置情報２５ｂが示す位置に合成される。
【０１２０】
これにより、選局サービスの映像が生成される。なお、カーソル映像２５ｃは、ポータルサーバ３０から取得するように構成しても構わない。また、記憶部２５に、カーソル映像２５ｃそのものではなく、カーソル映像２５ｃを生成するための情報が記憶されている場合、制御部２１は、カーソル映像２５ｃを生成し、生成したカーソル映像２５ｃをステップＳ１１３〜Ｓ１１７のいずれかにおいて生成した映像に合成する。
【０１２１】
制御部２１は、生成した選局サービスの映像をＴＶ６０に出力する。
【０１２２】
制御部２１は、カーソルＣが指し示すサービスの音声を多重化音声から取得し、ＴＶ６０に出力する（Ｓ１１９）。なお、カーソルＣが指し示すサービスは、ステップＳ１０４の実行において既に特定されている。
【０１２３】
［２−１−３．リモコン操作］
図６に示すように、ステップＳ１０４の実行により、ＴＶ６０に選局サービスの映像が表示され、ＴＶ６０のスピーカからカーソルＣが指し示すサービスの音声が出力されている状態において、リモコン５０の方向キーが押下された場合は（Ｓ１０５の「カーソルの移動」）、ステップＳ１０４に移行する。ＳＴＢ２０は、押下された方向キーに応じて、カーソルを移動させ、移動後のカーソルが示すサービスを特定する。
【０１２４】
ＳＴＢ２０は、カーソルが示すサービスが、第一サービスと第二サービスとの間で切り替わった場合は、移動後のカーソルＣに応じて、ＴＶ６０に出力する映像を、第一選局サービスの映像と第二選局サービスの映像との間で切り替える。ＳＴＢ２０は、カーソルが示すサービスが、第一サービスの間で切り替わった場合は、第一選局サービスの映像において、結果的に表示する縮小映像を切り替える。ＳＴＢ２０は、ＴＶ６０に出力する音声を、移動前のカーソルが示すサービスの音声から、移動後のカーソルが示すサービスの音声に切り替える。
【０１２５】
選局サービスの映像が表示されている状態において（Ｓ１０４）、リモコン５０の確定キーが押下された場合は（Ｓ１０５の「確定キー」）、選局モードを終了する。
【０１２６】
確定キーが押下されたときのカーソルＣの位置が、領域Ｒ０〜Ｒ２のいずれかに含まれる表示領域（但し、サービスに対応付けられていない第一表示領域Ｒ１０９〜Ｒ１１１を除く）または第三表示領域Ｒ３０１である場合、ＳＴＢ２０は、通常モードに移行し、カーソルＣが指し示すサービスの映像および音声をＴＶ６０に出力する。
【０１２７】
確定キーが押下されたときのカーソルＣの位置が領域Ｒ３に含まれる第三表示領域Ｒ３０２〜３０８の場合、ＳＴＢ２０は、アプリモードに移行し、当該表示領域に対応付けられたメニューアプリ３１ｆをポータルサーバ３０から取得する。ＳＴＢ２０は、取得したメニューアプリ３１ｆを起動して、メニューアプリ３１ｆの画面（録画一覧、予約一覧等）を表示する。
【０１２８】
［２−２．通常モード］
通常モードでは、ＳＴＢ２０は、放送波受信部２３のチューナを用いて、放送波から視聴するサービスの映像および音声を取得する。ＳＴＢ２０は、取得した映像および音声を映像音声出力部２６からＴＶ６０に出力する。
【０１２９】
これにより、ＴＶ６０の画面に第一サービスまたは第二サービスの映像を表示させ、ＴＶ６０のスピーカ（不図示）から当該サービスの音声を出力させることができる。
【０１３０】
［２−３．録画モード］
ＳＴＢ２０は、ＥＰＧ等を用いて録画予約された１または複数のサービスの録画開始時刻になったとき、および、リモコン５０の録画キーが押下されたときに、録画モードに移行する。なお、放送波受信部２３が２以上のチューナを備える場合は、通常モードまたは選局モードにかかる動作の実行と並行して、録画モードにかかる動作を実行することができる。
【０１３１】
ここでは、選局サービスの録画について説明する。本実施の形態のＳＴＢ２０は、選局サービスを録画することが可能である。選局サービスは、複数のサービスの１つとして放送波に含められているため、通常の第一サービスおよび第二サービスと同様に、録画することが可能である。録画は、記憶部２５のハードディスクを用いて行われるが、ＳＴＢ２０が、例えば、外部接続されたハードディスク、ＤＶＤ（Ｄｉｇｉｔａｌ  Ｖｅｒｓａｔｉｌｅ  Ｄｉｓｃ）あるいはＢＤ（Ｂｌｕ−ｒａｙ（登録商標）  Ｄｉｓｃ）等の他のメディアへの録画機能を備える場合には、当該機能が利用されてもよい。
【０１３２】
ＳＴＢ２０は、選局サービスについて録画が予約された場合、あるいは、選局サービスの映像および音声をＴＶ６０に出力しているときにリモコン５０の録画キーが押下された場合、選局サービスの録画を行う。
【０１３３】
ＳＴＢ２０は、選局サービスの録画において、テンプレート映像３１ｃ、縮小映像群、多重化音声、マッピング情報３１ａ、契約情報３１ｂ、許可情報３１ｄ、アイコン映像群３１ｅおよび仕様情報２５ｄを含む録画データを記憶する。ＳＴＢ２０は、当該選局サービスの再生時に、これらの録画データを用いて選局サービスの映像を生成し、録画データに含まれる多重化音声から音声を取得する。ＳＴＢ２０は、生成した選局サービスの映像と音声とをＴＶ６０に出力する。
【０１３４】
また、制御部２１は、録画した選局サービスの再生において、第一サービスおよび第二サービスのうちの１つが選択された場合は、選択されたサービスの縮小映像を拡大して全画面表示する。なお、音声については、カーソルＣが移動した時から、多重化音声に含まれる当該サービスの音声を抽出して出力していることから、引き続き、当該サービスの音声を出力する。
【０１３５】
なお、広告主あるいは権利者（サービスを提供する放送事業者）の意向によっては、契約情報３１ｂあるいは許可情報３１ｄは、再生時に新たに取得するように構成しても構わない。
【０１３６】
選局サービスの再生において、再生時の契約情報３１ｂを用いる場合、録画時に未契約のサービスであっても、再生時に契約されていれば、当該サービスの縮小映像あるいは当該縮小映像の拡大映像を見ることができる。
【０１３７】
同様に、選局サービスの再生において、再生時の許可情報３１ｄを用いる場合、録画時において、縮小映像を他の縮小映像と同一画面上に同時に表示する許可が得られていないサービスであっても、再生時に許可が得られていれば、当該サービスの縮小映像を他の縮小映像と同一画面上に同時に表示しても構わない。つまり、録画時に第一サービスであったサービスについて、再生時に許可が得られている場合は、第二サービスとして扱っても構わない。
【０１３８】
また、録画時の契約情報３１ｂおよび再生時の契約情報３１ｂのいずれかにおいて契約されていれば、当該サービスの縮小映像を視聴可能に構成しても構わない。
【０１３９】
また、選局サービスの再生において、再生時の許可情報３１ｄを用いる場合、録画時に縮小映像を他の縮小映像と同時に表示する許可が得られていない第一サービスに分類されるサービスであっても、再生時に当該許可が得られている第二サービスとなっているサービスについては、当該サービスの縮小映像を他の第二サービスの縮小映像と同時に表示するように構成しても構わない。
【０１４０】
逆に、録画時に第二サービスに分類されるサービスであっても、再生時に第一サービスとなっているサービスについては、当該サービスの縮小映像を他のサービスの縮小映像と同時に表示しないように構成しても構わない。
【０１４１】
［３．効果等］
本実施の形態のＳＴＢ２０は、縮小映像を他のサービスの縮小映像と同一画面に同時に表示する許可が得られていない第一サービスについては、当該第一サービスの縮小映像が表示される間、他のサービスの縮小映像を表示しない第一選局サービスが提供される。また、上記許可が得られている第二サービスについては、同一画面に同時に１または複数の第二サービスの第二縮小映像を表示する第二選局サービスが提供される。これにより、上記許可の有無に応じた適切な選局サービスを提供することが可能になる。
【０１４２】
第二選局サービスでは、複数の第二サービスの映像（動画）が同時に表示されるので、ＴＶ６０を視聴するユーザが視覚的に複数の番組を認識することが可能になる。これにより、ユーザによるサービスの選択をスムーズにし、利便性の向上、および、操作回数の低減による消費電力の削減を図ることが可能になる。
【０１４３】
なお、一般的に、ＳＴＢ２０側で縮小映像を生成しようとすると、１つの縮小画像につき１つのチューナが必要になる。本実施の形態では、放送局１０側で縮小画像を生成するため、ＳＴＢ２０側では、複数のサービスの合計数のチューナを備えることなく、複数のサービスの縮小映像を同時に表示することが可能になる。
【０１４４】
また、本実施の形態では、放送局１０が縮小映像群を生成するので、ＳＴＢ２０側では、アイコン映像およびカーソルの描画処理のような比較的負荷の小さい処理を行えば良く、映像の縮小処理が必要なくなるため、特別な映像処理能力を必要としない。
【０１４５】
［変形例１］
変形例１の映像受信装置および映像受信方法について、図１１、図１２Ａおよび図１２Ｂを用いて説明する。
【０１４６】
本変形例では、例えば、選局モードにおいて、複数のサービスの縮小映像を、複数ページにわたって表示する場合について説明する。なお、本変形例は、第二サービスの縮小映像の数が多く、最初の選局サービスの映像では対応できない場合に特に有用である。
【０１４７】
図１１は、本変形例における１ページ目の選局サービスの映像の一例を示す図である。図１２Ａおよび図１２Ｂは、本変形例における２ページ目以降の選局サービスの映像の一例を示す図である。
【０１４８】
図１１の選局サービスの映像が、図１０Ａ〜図１０Ｄの選局サービスの映像とは異なる点は、図１０Ａ〜図１０Ｄにおいてアプリ１のアイコン映像１３６があった部分に、次ページを表示するためのアイコン映像１４０が配置されている点である。カーソルＣを図１１に示す位置から移動させ、アイコン映像１４０の位置にカーソルＣを合わせた状態でリモコン５０の確定キーが押下された場合に、図１２Ａまたは図１２Ｂに示す２ページ目以降のページに移動する。
【０１４９】
なお、ここでは、アプリ１のアイコン映像１３６があった部分に次ページを表示するためのアイコン映像１４０を表示する場合について説明したが、これに限るものではない。図１０Ａ〜図１０Ｄの選局サービスの映像を表示し、カーソルが右端の表示領域に位置するときに、さらにリモコンの右を示す方向キーが押された場合に、他のページを表示しても構わない。同様に、カーソルが左端、上端あるいは下端の表示領域に位置するときに、さらにリモコンの左、上あるいは下を示す方向キーが押された場合に、他のページを表示しても構わない。また、カーソルＣが上下左右の端の表示領域に位置するときに、次のページがあることを示すアイコン（例えば、矢印等）を表示するように構成しても構わない。
【０１５０】
図１２Ａおよび図１２Ｂでは、２×２の４つの領域Ｒ１０、Ｒ２０、Ｒ３０およびＲ４０が配置され、各領域の各々には、３×３の表示領域が配置されている。つまり、図１２Ａおよび図１２Ｂでは、６×６の表示領域が配置されている。
【０１５１】
各領域には、１または複数のジャンルが割り当てられる。例えば、領域Ｒ１０のジャンルは、ニュースおよびスポーツである。領域Ｒ１０には、主にニュース番組あるいはスポーツ番組を放送する事業者のサービスの縮小映像が表示される。また、例えば、領域Ｒ２０のジャンルは映画である。領域Ｒ２０には、主に映画を放送する事業者のサービスの縮小映像が表示される。同様にして、領域Ｒ３０およびＲ４０についてもテーマが定められている。
【０１５２】
なお、本変形例では、各領域に１または複数のジャンルを割り当てたが、例えば、ユーザ別、良く視聴するサービス順等、領域に配置する縮小映像は任意である。また、本変形例では、領域Ｒ１０、Ｒ２０、Ｒ３０およびＲ４０の大きさは同じであるが、これに限るものではない。
【０１５３】
制御部２１は、このように構成された２ページ目以降の選局サービスの映像においては、カーソルＣが位置する領域に属する表示領域には、縮小映像を表示し、カーソルＣが位置しない領域に属する表示領域には、対応するサービスを示すアイコン映像を表示する。なお、図１２Ａおよび図１２Ｂに示す映像を、１ページ目の映像としても構わない。
【０１５４】
本変形例においても、実施の形態１と同様の効果を奏することができる。
【０１５５】
［変形例２］
変形例２の映像受信装置および映像受信方法について、図１３および図１４を用いて説明する。
【０１５６】
本変形例では、第一サービスおよび第二サービスの縮小映像が表示される表示領域の位置が、ユーザによりカスタマイズ可能に構成されている場合について説明する。
【０１５７】
当該変形例では、動作モードには、登録モードが含まれる。
【０１５８】
ＳＴＢ２０は、登録モードになると、現在の選局モードの画面の仕様をユーザの操作に応じて変更する。
【０１５９】
ＳＴＢ２０の記憶部２５には、現在の選局モードの画面の仕様、つまり、複数のサービス別に縮小映像を表示する表示領域の位置を記憶した仕様情報が記憶される。仕様情報２５ｄの初期値として、図２Ｂに示す情報が記憶されている。
【０１６０】
図１３は、本変形例における仕様変更後の第一選局サービス３００の映像の一例を示す図である。図１４は、本変形例における仕様変更後の仕様情報２５ｄの一例を示す図である。
【０１６１】
図１３および図１４に示す例では、領域Ｒ２において縮小映像が入れ替えられている。具体的には、未契約のサービスが領域Ｒ２の右下に集められている。図１３および図１４では、第二表示領域Ｒ２０１〜２１３に、ＣＳｃｈ２〜ＣＳｃｈ１３、ＣＳｃｈ１５が対応付けられ、第二表示領域Ｒ２１４およびＲ２１５にＣＳｃｈ１およびＣＳｃｈ１４が対応付けられている。
【０１６２】
このように、例えば、視聴する機会の少ないサービスを集めることも可能である。言い換えると、視聴する機会の多さに応じて、縮小映像の表示位置を並び替えることが可能である。これにより、さらにユーザの選局が容易になる。また、実施の形態１と同様の効果を奏することができる。
【０１６３】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。そこで、以下、他の実施の形態を例示する。
【０１６４】
（１）上記実施の形態、変形例１および変形例２では、選局サービスの映像として、図１０Ａ〜図１０Ｄに示す映像を例に説明したが、これに限るものではない。選局サービスの映像には、図１０Ａ〜図１０Ｃに示す映像に、さらに他の情報が表示されていても構わない。
【０１６５】
例えば、第一表示領域Ｒ１０１〜１１１、第二表示領域Ｒ２０１〜２１５の各々に、チャンネル番号が表示されていても構わない。
【０１６６】
（２）上記実施の形態、変形例１および変形例２では、未契約の要契約サービスについては、未契約であることを示すアイコン映像を表示したが、これに限るものではない。
【０１６７】
要契約サービスを提供する放送事業者の意向によっては、要契約サービスの映像を完全に差し替えるのではなく、例えば、「未契約」であることを示す情報と共に、要契約サービスの縮小映像をそのまま表示するように構成しても良い。「未契約」であることを示す情報は、例えば、要契約サービスの映像上、あるいは、その周辺（枠部分等）に表示される。
【０１６８】
また、制御部２１は、「未契約」の要契約サービスであっても、契約情報３１ｂに一時的に視聴できることを示す情報が記憶されている場合、あるいは、放送局１０から一時的に視聴できる期間が指定されている場合等には、要契約サービスについて縮小映像を表示しても構わない。この場合、制御部２１は、さらに、一時的に視聴可能であることを示す情報を、当該要契約サービスの映像あるいはその周辺（枠部分等）に追加してもよい。このように構成すれば、ユーザに対し、要契約サービスへの契約を促す（要契約サービスを宣伝する）ことが可能になる。
【０１６９】
（３）上記実施の形態、変形例１および変形例２では、制御部２１は、録画モードにおいて選局サービスを録画する場合、選局サービスを表示するためのデータを記憶しているが、これに限るものではない。図６のステップＳ１０４（図９）において生成した第一選局サービス用映像および第二選局サービス用映像を記憶しても構わない。
【０１７０】
（４）上記実施の形態、変形例１および変形例２では、音声について、放送局１０が多重化音声を生成し、ＳＴＢ２０に対して出力する放送波に含ませるように構成したが、これに限るものではない。
【０１７１】
例えば、ＳＴＢ２０の放送波受信部２３が、２以上のチューナを備える場合には、１つのチューナで選局サービスの映像をデコードし、他のチューナで、多重化音声ではなく、選局サービスのカーソルＣで選択されたサービスの通常の音声をデコードするように構成してもよい。
【０１７２】
この場合には、放送局１０は、多重化音声を生成および出力する必要がなくなる。但し、選局サービスの録画のために、放送局１０は、多重化音声を生成するように構成してもよい。
【０１７３】
（５）上記実施の形態、変形例１および変形例２では、ポータルサーバ３０から、契約情報３１ｂを取得するように構成したが、これに限られるものではない。例えば、放送波に含まれる複数のサービスを順番にチューニングして、未契約か否かを判定するように構成してもよい。または、端末あるいはＣＡＳカードが持つ情報を参照しても構わない。
【０１７４】
（６）上記実施の形態、変形例１および変形例２では、ＳＴＢ２０の通信部２４は、選局モードに移行した際に、マッピング情報３１ａ等をポータルサーバ３０から取得するように構成したが、これに限るものではない。マッピング情報３１ａ等の取得タイミングは、ＳＴＢ２０の電源投入時等、他のタイミングであってもよい。あるいは、マッピング情報３１ａ等を、予めＳＴＢ２０内にダウンロードしておき、更新された時に、放送局１０あるいはポータルサーバ３０側から通知し、放送波受信部２３あるいは通信部２４から受信するように構成してもよい。
【０１７５】
（７）上記実施の形態、変形例１および変形例２では、マッピング情報３１ａ等をポータルサーバ３０から取得したが、これに限るものではない。放送局１０がこれらの情報を含む放送波を生成し、ＳＴＢ２０が、放送波からこれらの情報を抽出するように構成してもよい。
【０１７６】
（８）上記実施の形態、変形例１および変形例２では、ＳＴＢ２０が、放送局１０からの有線放送の放送波を受信する場合を例に説明したが、これに限るものではない。ＳＴＢ２０は、例えば、インターネット上のＩＰコンテンツ等をサービスの一部または全部として受信する構成であってもよい。あるいは、上記実施の形態、変形例１および変形例２では、映像受信装置がＳＴＢ２０である場合を例に説明したが、これに限るものではなく、例えば、インターネット上のＩＰコンテンツを受信する他の装置等であってもよい。
【０１７７】
（９）上記実施の形態、変形例１および変形例２では、制御部は、ＣＰＵまたは演算プロセッサであるとしたが、映像受信装置を制御するものであれば、物理的にどのように構成してもよい。なお、制御部２１をＣＰＵ（あるいはマイコン）で構成し、制御プログラムの実行により映像受信装置を制御するように構成すれば、制御プログラムの変更により処理内容を変更できるので、制御部２１の設計の自由度を高めることができる。また、制御部２１は、ハードロジックで実現してもよい。制御部２１をハードロジックで実現すれば、処理速度の向上に有効である。制御部２１は、１つの素子で構成してもよいし、物理的に複数の素子で構成してもよい。複数の素子で構成する場合、請求の範囲に記載の各制御を別の素子で実現してもよい。この場合、それらの複数の素子で一つの制御部２１を構成すると考えることができる。また、制御部２１と別の機能を有する部材とを１つの素子で構成してもよい。
【０１７８】
（１０）上記実施の形態、変形例１および変形例２では、ＳＴＢ２０とリモコン５０との間の通信として、赤外線通信を利用する場合について説明したが、これに限るものではない。
【０１７９】
（１１）上記実施の形態、変形例１および変形例２では、放送局１０が縮小映像群を生成したが、ＳＴＢ２０あるいはポータルサーバ３０が縮小映像群を生成しても構わない。
【０１８０】
なお、第一選局サービスの映像は、１つの第一縮小映像をテンプレート映像に嵌め込むことで生成できることから、１つのチューナがあれば放送波から第一選局サービスの映像を生成できる。このため、第一選局サービスの映像をＳＴＢ２０が生成し、第二選局サービスの映像を放送局１０が生成する等、分散して生成しても構わない。
【０１８１】
（１２）上記実施の形態、変形例１および変形例２では、サービスが対応していない表示領域は空白あるいはサービスが対応していないことを示すアイコン映像を表示したが、これに限るものではない。このような所謂余白領域には、他の任意の情報を表示しても構わない。他の任意の情報としては、例えば、カーソルＣで選択されているサービスの情報、カーソルＣで選択されているサービスに関連する商品の情報、他のお勧めサービスの情報、ＴＶショッピングの画像等が考えられる。
【０１８２】
（１３）上記実施の形態、変形例１および変形例２では、ＳＴＢ２０は、放送波からサービスの映像および音声を取得したが、これに限られるものではない。通信部２４を介してネットワークからサービスの映像および音声（例えば、ＩＰ（Ｉｎｔｅｒｎｅｔ  Ｐｒｏｔｏｃｏｌ）放送の映像および音声）を受信しても構わない。あるいは、ＳＴＢ２０が、さらに他の通信経路（電力線通信、無線通信等）に対応する通信部を備えている場合には、当該他の通信経路に対応する通信部を利用して、サービスの映像および音声を取得しても構わない。
【０１８３】
（１４）上記実施の形態、変形例１および変形例２では、カーソルの位置情報２５ｂは、選局サービスの映像の表示開始時に、左上にある表示領域の位置に初期化される場合を例に説明したが、これに限られるものではない。例えば、選局サービスの映像の表示終了時の位置をそのまま保持していても構わないし、特定の位置をユーザあるいは放送局から指定できるように構成しても構わない。
【０１８４】
（１５）上記実施の形態、変形例１および変形例２では、仕様情報２５ｄには、サービスＩＤと、各サービスのチャンネル名と、表示領域の位置情報とが含まれる場合について説明したが、これに限られるものではない。一部のサービスについては、表示領域の位置情報が含まれていなくても構わない。また、仕様情報２５ｄには、各サービスのジャンル等、さらに他の情報が含まれていても構わない。
【０１８５】
（１６）上記実施の形態、変形例１および変形例２では、放送局１０のチューナ部１２は、複数のチューナの各々が、第一放送波から対応するサービスの映像及び音声をデコードする場合について説明したが、これに限られるものではない。例えば、一部または全部のサービスについて、専用回線を用いて各サービスの映像及び音声を取得しても構わない。
【０１８６】
（１７）上記実施の形態、変形例１および変形例２では、音声多重化部１４は、チューナ部１２を構成する複数のチューナから出力される複数のサービスの音声を多重化して、多重化音声を生成するとしたが、これに限られるものではない。多重化音声には、第一サービスおよび第二サービスのいずれにも含まれない音声（以下、サービス外音声と称する）が含まれていても構わない。
【０１８７】
この場合において、選局サービスの映像を表示するときに、カーソルＣが指し示すサービスの音声ではなく、サービス外音声を出力しても構わない。
【０１８８】
（１８）上記実施の形態、変形例１および変形例２では、制御部２１は、選局サービスを表示するときに、カーソルＣが指し示すサービスの音声を多重化音声から取得し、ＴＶ６０に出力するとしたが、これに限られるものではない。
【０１８９】
例えば、制御部２１は、サービス外音声を出力するようにしてもよい。このサービス外音声は、あらかじめ記憶部２５に記憶されていてもよいし、制御部２１がネットワーク４０を介してポータルサーバ３０から取得し、記憶部２５に記憶しておいてもよい。
【０１９０】
また、制御部２１は、選局サービスを表示するときに、音声を出力しないようにしてもよい。
【０１９１】
また、制御部２１は、カーソルＣが指し示すサービスが第一サービスであるか、第二サービスであるかに応じて出力する音声を切り替えるようにしてもよい。具体的には、制御部２１は、カーソルＣが指し示すサービスが第一サービスであるである場合には、カーソルＣが指し示すサービスの音声を多重化音声から取得して出力するようにし、カーソルＣが指し示すサービスが第二サービスであるである場合には、サービス外音声を出力するかまたは音声を出力しないようにしてもよい。
【０１９２】
（１９）上記実施の形態、変形例１および変形例２では、選局キーが押下された場合に、選局モードに移行する場合について説明したが、これに限られるものではない。ＳＴＢ２０は、ＳＴＢ２０の電源がＯＦＦ状態からＯＮ状態になったとき、あるいは、その他の指定されたタイミングで選局モードに移行するように構成しても構わない。
【０１９３】
（２０）上記実施の形態、変形例１および変形例２では、縮小映像群ＳＤＶが、複数の第一サービスおよび複数の第二サービスの縮小映像を含む場合について説明したが、第一サービスの縮小映像を含んでいなくても構わない。
【０１９４】
図１５は、複数の第二サービスの縮小映像で構成された縮小映像群ＳＤＶ２の一例を示す図である。
【０１９５】
この場合、例えば、制御部２１は、放送波受信部２３のチューナを用いて放送波から第一サービスの映像をデコードし、当該映像を縮小処理することにより、第一サービスの縮小映像を生成する。
【０１９６】
（２１）上記実施の形態、変形例１および変形例２では、制御部２１は、テンプレート映像３１ｃと縮小映像群ＳＤＶとを合成した合成映像を生成し、当該合成映像にアイコン映像を合成するマスク処理を実行したが、これに限られるものではない。
【０１９７】
制御部２１は、表示する縮小映像を縮小映像群から切り出して、切り出した縮小映像とテンプレート映像３１ｃとを合成しても構わない。
【０１９８】
（２２）上記実施の形態、変形例１および変形例２では、表示領域に、当該表示領域に対応する縮小映像とは異なる映像として、対応するサービスを示すアイコン映像を表示するものとしたが、当該表示領域に対応する縮小映像とは異なる映像としては、これに限られるものではない。例えば、アイコン映像の代わりに白、黒、青等の単色の映像を表示するようにしてもよい。また、アイコン映像の代わりに、特定のパターンの映像を表示するようにしてもよい。しかしながら、その表示領域がどのサービスに対応する表示領域なのかがわかりやすくなるため、対応するサービスを示すアイコン映像を表示することのほうがより望ましい。
【０１９９】
以上のように、本開示における技術の例示として、実施の形態を説明した。そのために、添付図面および詳細な説明を提供した。
【０２００】
したがって、添付図面および詳細な説明に記載された構成要素の中には、必須な構成要素だけでなく、上記技術を例示するために、必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２０１】
また、上述の実施の形態は、本開示における技術を例示するためのものであるから、請求の範囲またはその均等の範囲において種々の変更、置き換え、付加、省略などを行うことができる。
【産業上の利用可能性】
【０２０２】
本開示は、複数のサービスから１つのサービスを選択させるための選局サービスを表示する映像受信装置および映像受信方法として適用可能である。具体的には、ＣＡＴＶ（ケーブルテレビ）等の有線放送のＳＴＢ、あるいは、ＩＰコンテンツを受信する装置等、複数のサービスを配信する放送局からの映像コンテンツを受信する映像受信装置に、本開示は適用可能である。
【符号の説明】
【０２０３】
１０    放送局
１１    放送設備
１２    チューナ部
１３    縮小映像群生成部
１４    音声多重化部
１５    混合部
２０    ＳＴＢ
２１    制御部
２２    操作情報受信部
２３    放送波受信部
２４    通信部
２５    記憶部
２５ａ  受信機ＩＤ
２５ｂ  カーソルの位置情報
２５ｃ  カーソル映像
２５ｄ  仕様情報
３０    ポータルサーバ
３１    記憶部
３１ａ  マッピング情報
３１ｂ  契約情報
３１ｃ  テンプレート映像
３１ｄ  許可情報
３１ｅ  アイコン映像群
３１ｆ  メニューアプリ
３２    通信部
４０    ネットワーク
５０    リモコン
６０    ＴＶ
１００、３００  第一選局サービス
１０１、１１８  縮小映像
１１０  第一縮小映像群
１１１  第一縮小映像
１２０  第二縮小映像群
１２１、１２２、１２３  第二縮小映像
１２４、１３１、１３２、１３３、１３４、１３５、１３６、１３９、１４０  アイコン映像
２００  第二選局サービス
Ｌ１０１、Ｌ１０９、Ｌ２０１  貼付領域
Ｒ０、Ｒ１、Ｒ２、Ｒ３、Ｒ１０、Ｒ２０、Ｒ３０、Ｒ４０  領域
Ｒ００１  表示領域
Ｒ１０１、Ｒ１０８、Ｒ１０９  第一表示領域
Ｒ２０１、Ｒ２０２、Ｒ２０６、Ｒ２１４  第二表示領域
Ｒ３０１、Ｒ３０２、Ｒ３０３、Ｒ３０４、Ｒ３０５、Ｒ３０６、Ｒ３０９  第三表示領域
ＳＤＶ、ＳＤＶ２  縮小映像群
【図１】
0006031685.tif 000002
【図２Ａ】
0006031685.tif 000003
【図２Ｂ】
0006031685.tif 000004
【図３】
0006031685.tif 000005
【図４Ａ】
0006031685.tif 000006
【図４Ｂ】
0006031685.tif 000007
【図５】
0006031685.tif 000008
【図６】
0006031685.tif 000009
【図７】
0006031685.tif 000010
【図８Ａ】
0006031685.tif 000011
【図８Ｂ】
0006031685.tif 000012
【図９】
0006031685.tif 000013
【図１０Ａ】
0006031685.tif 000014
【図１０Ｂ】
0006031685.tif 000015
【図１０Ｃ】
0006031685.tif 000016
【図１０Ｄ】
0006031685.tif 000017
【図１１】
0006031685.tif 000018
【図１２Ａ】
0006031685.tif 000019
【図１２Ｂ】
0006031685.tif 000020
【図１３】
0006031685.tif 000021
【図１４】
0006031685.tif 000022
【図１５】
0006031685.tif 000023